(57)【要約】【課題】利用者がテレビジョン受信装置で未契約のチャンネル選局を行っても、外部接続機器から契約済みのチャンネルを自動で選局が可能なテレビジョン受信装置を提供する。【解決手段】利用者はリモコン２００を使って視聴したい番組のチャンネルに応じたキー入力を行う。選局制御部１０２が要求の合ったチャンネルが未契約チャンネルであると判断した場合、外部接続機器制御部１０５は、外部接続機器４００に対して、コマンド送受信部１０７を通して同チャンネルで契約済みのチャンネルがあるかを問い合わせる。契約済みのチャンネルが見つかった場合、入力切替制御部１０６とコマンド送受信部１０７を通して該当チャンネルの選局動作を行い、映像音声出力部１０８で表示する。【選択図】図１
2011041168.tif 000002
【特許請求の範囲】
【請求項１】
放送網から各放送データを受信して表示するテレビジョン受信装置であって、
各放送チャンネルをリモコンキーに割当てるとともに、前記リモコンキーが操作されたときに視聴番組情報を含んだリモコン信号を受信するリモコン受信部と、
前記リモコン受信部で受けた該当チャンネルを選局する選局制御部と、
前記選局制御部によって選局されたチャンネルを放送網から受信する放送受信制御部と、
前記リモコンキーに割当てられたチャンネル群を管理するチャンネルリスト管理部と、
外部接続機器からの信号入力を切替る入力切替制御部と、
外部接続機器へのコマンド送受信を行うコマンド送受信部と、
外部接続機器からの信号入力の切替指示とコマンド指示内容の決定を行う外部接続機器制御部と、
受信した映像信号と音声信号を出力する映像音声出力部と、を具備し、
前記選局制御部は、選局したチャンネルが有料放送で未契約チャンネルだった場合、前記外部接続機器制御部を介して前記外部接続機器に選局した前記チャンネルが契約済みのチャンネルであるか否かを問い合わせ、契約済みである場合は、前記入力切替制御部に前記外部接続機器からの信号入力に切替させ、前記映像音声出力部に前記外部接続機器からの前記信号入力を出力させることを特徴とするテレビジョン受信装置。
【請求項２】
前記外部接続機器制御部は、前記外部接続機器への選局要求が来たときに前記外部接続機器が電源ＯＦＦ状態である場合、前記コマンド送受信部によって前記外部接続機器の電源ＯＮ要求を行うとともに、選局が完了するまでの間に該当チャンネルに関連する番組情報、ＣＭ等を表示する、ことを特徴とする請求項１に記載のテレビジョン受信装置。
【請求項３】
前記チャンネルリスト管理部は、全ての外部接続機器のチャンネルリストを取得し、予めリモコンキーに割当てる手段を有する、ことを特徴とする請求項１に記載のテレビジョン受信装置。
【発明の詳細な説明】
【技術分野】
【０００１】
本発明は、選局したチャンネルが未契約である場合に外部接続機器から該当チャンネルを選局することができるテレビジョン受信装置に関する。
【背景技術】
【０００２】
近年、衛星通信放送やケーブルテレビ放送において、デジタル放送が急速に普及している。放送のデジタル化による動画の高圧縮技術によって極めて多数の番組コンテンツを放送することが可能となり、放送サービスも多様化してきている。その中で、放送事業者と受信契約がなされた利用者のみが番組を視聴することができる有料放送チャンネルがある。これらのチャンネルを視聴するためには、ＣＡＳ（Ｃｏｎｄｉｔｉｏｎａｌ  Ａｃｃｅｓｓ  Ｓｙｓｔｅｍ）と呼ばれるカードに対して放送事業者と契約を結び、デジタル放送を受信可能な機器にカードを装着する必要がある。通常ＣＡＳカードはデジタル放送を受信可能な機器一つに対して一枚付属されるものであり、機器毎にカードのＩＤは異なる。また、デジタル放送を受信可能な機器はテレビジョン受信装置だけでなく、デジタルレコーダやケーブル放送受信装置などもある。
【０００３】
利用者が、ある有料放送チャンネルを見るための契約を、デジタルレコーダのＣＡＳに対して結んでいる場合、デジタルレコーダで同チャンネルを選局すれば視聴は可能だが、テレビジョン受信装置で同チャンネルを選局しても、テレビジョン受信装置で持っているＣＡＳでは契約が結ばれていないため視聴することができない（例えば、特許文献１参照）。
【先行技術文献】
【特許文献】
【０００４】
【特許文献１】特開平１０−２７１４７８号公報
【発明の概要】
【発明が解決しようとする課題】
【０００５】
しかしながら、上記仕組みにより利用者は、どのＣＡＳでどのチャンネルの契約を結んでいるかを全て知っておく必要があり、操作負担も大きいという問題があった。
【０００６】
つまり、利用者が契約済みのある有料放送チャンネルを視聴したい場合、その契約を結んでいるＣＡＳを持つ機器に一旦入力を切替えた後、該当チャンネルを選局するという操作が必要であり、利用者に対する負担が大きいという問題があった。
【０００７】
本発明は上記課題を解決するためになされたものであり、利用者が未契約のチャンネルを選局しても、外部接続機器から契約済みの同チャンネルを自動で選局することが可能なテレビジョン受信装置を提供することを目的とする。
【課題を解決するための手段】
【０００８】
上記課題を解決するために、本発明の請求項１に係るテレビジョン受信装置は、契約済みのチャンネルを外部接続機器を含めて自動で探索し選局することが可能なテレビジョン受信装置であって、視聴番組情報を含んだリモコン信号を受信するリモコン受信部と、受信したリモコン信号に応じてチャンネルを選局する選局制御部と、放送中の番組データを受信する放送受信制御部と、リモコンキーに割当てられたチャンネル情報を管理するチャンネルリスト管理部と、外部接続機器からの信号入力を切替る入力切替制御部と、外部接続機器へのコマンド送受信を行うコマンド送受信部と、外部接続機器からの信号入力の切替指示とコマンド指示内容の決定を行う外部接続機器制御部と、受信した映像信号と音声信号を出力する映像音声出力部と、を具備することを特徴とする。
【０００９】
このような構成により、利用者がテレビジョン受信装置で未契約のチャンネルを選局した場合でも、外部接続機器から同チャンネルで契約済みのチャンネルを探索し、見つかった場合は自動で外部接続機器へ入力を切替えると同時に該当チャンネルへの選局を行うことができる。従って、利用者は自身が契約しているチャンネルとＣＡＳの関係をあらかじめ把握しておく必要はなく、契約が必要なチャンネルの選局を、その他の契約が必要ないチャンネルの選局と同等の操作を行うだけでよくなる。
【００１０】
また、本発明の請求項２に係るテレビジョン受信装置は、請求項１に係るテレビジョン受信装置において、外部接続機器制御部は、外部接続機器への選局要求が来たときに外部接続機器が電源ＯＦＦ状態である場合、前記コマンド送受信部によって外部接続機器の電源ＯＮ要求を行うとともに、選局が完了するまでの間に該当チャンネルに関連する番組情報、ＣＭ等を表示する、ことを特徴とする。
【００１１】
このような構成により、利用者は外部接続機器の電源状態を気にすることなく、その他のチャンネル選局と同じ感覚で、外部接続機器に対するチャンネルの選局を行うことができる。また、外部接続機器の電源起動に時間がかかる場合には、選局したチャンネルの番組情報を表示することで、利用者のストレスを軽減できる。
【００１２】
また、本発明の請求項３に係るテレビジョン受信装置は、請求項１に係るテレビジョン受信装置において、チャンネルリスト管理部は、任意のリモコンキーに対する選局動作を、テレビジョン受信装置のチャンネルリストから割当てるだけでなく、外部接続機器のチャンネルを割当てたい場合は、その機器のチャンネルリストを取得してきて、任意のチャンネルを該当キーに割当てる手段を有する、ことを特徴とする。
【００１３】
このような構成により、利用者は外部接続機器のチャンネルリストを含めて、任意のリモコンキーに好みの選局動作を割当てることが可能となる。
【発明の効果】
【００１４】
本発明によれば、利用者が未契約のチャンネルを選局した場合でも、外部接続機器から契約済みのチャンネルを探索し、自動で切替と選局が可能なテレビジョン受信装置を提供することができる。
【図面の簡単な説明】
【００１５】
【図１】本発明の実施形態１におけるテレビジョン受信装置の構成を示すブロック図
【図２】本発明の実施形態１におけるリモコンキーに対するチャンネル選局動作の変更例を示す図
【図３】本発明の実施形態１における処理手順を示すフローチャート
【図４】本発明の実施形態２における処理手順を示すフローチャート
【図５】本発明の実施形態３におけるリモコンキーに対するチャンネル選局動作をカスタマイズする動作例を示す画面表示遷移図
【発明を実施するための形態】
【００１６】
以下本発明を実施するための最良の形態について、図面を参照しながら説明する。
【００１７】
（実施の形態１）
図１は、本発明の第１の実施の形態におけるテレビジョン受信装置１００の内部構成を示すブロック図である。
【００１８】
図１に示すように、テレビジョン受信装置１００は、リモコン受信部１０１、選局制御部１０２、放送受信制御部１０３、チャンネルリスト管理部１０４、外部接続機器制御部１０５、入力切替制御部１０６、コマンド送受信部１０７、映像音声出力部１０８を備えている。
【００１９】
図１において、利用者が視聴したいチャンネルに対応しているキーをリモコン２００で入力すると、リモコン受信部１０１はそのリモコン信号を赤外線通信等で受信して、選局制御部１０２へ視聴番組情報を送る。選局制御部１０２は、リモコン受信部１０１から受け取った視聴番組情報とチャンネルリスト管理部１０４から、どのチャンネルの放送データを受け取るかを判断し、放送受信制御部１０３へ番組指定情報を伝える。放送受信制御部１０３は、選局制御部１０２の指示を受けて、放送網３００から受信チャンネルの設定を行う。受信チャンネル設定が行われた後、選局制御部１０２は、そのチャンネルが契約済みのチャンネルであるのか、それとも未契約のチャンネルであるのかを判断し、外部接続機器制御部１０５へ伝える。チャンネルリスト管理部１０４は、リモコン２００の装備されているテンキーなどのキー入力と、受信可能な放送チャンネルとを結びつけた情報を管理しており、利用者がリモコン２００で入力したキー情報から、選局に必要なチャンネル情報を選局制御部１０２へ伝える。
【００２０】
外部接続機器制御部１０５は、受信したチャンネルが契約済みのチャンネルである場合は、映像音声出力部１０８へ受信したチャンネルのデータをそのまま送る。受信したチャンネルが未契約のチャンネルであった場合は、外部接続機器４００がテレビジョン受信装置１００に接続されているかを確認する。接続されている外部接続機器４００がない場合は、映像音声出力部１０８へ未契約チャンネルであることを示す映像を送る。接続されている外部接続機器４００がある場合は、見つかった外部接続機器４００に対して、受信した未契約チャンネルと同じチャンネルで、契約済みのチャンネルがあるかを問い合わせる指示を、コマンド送受信部１０７へ送る。コマンド送受信部１０７から、契約済みのチャンネルが見つかったことを受けた場合、チャンネルリスト管理部１０４に、契約済みのチャンネルがどの外部接続機器のどのチャンネルに割当たるのかを伝える。同時に、見つかった契約済みのチャンネルを受信するために、外部接続機器４００の信号を受けるための入力切替指示を、入力切替制御部１０６へ送る。
【００２１】
入力切替制御部１０６は、外部接続機器４００からの信号を受信するための入力切替を行う。コマンド送受信部１０７は、外部接続機器制御部１０５からの指示を受け、外部接続機器４００にＣＥＣなどの通信手段を用いてコマンドの送受信を行い、結果を外部接続機器制御部１０５に返す。映像音声出力部１０８は、受信した映像信号と音声信号のデコード処理を行い、出力する。
【００２２】
図２は、本実施の形態１で、テレビジョン受信装置１００で未契約のチャンネルであって外部接続機器４００では契約済みのチャンネルとして見つかった場合に、リモコンキーへの選局動作の割当てを変更するための説明図である。利用者が、リモコンキー１もしくは２を入力してチャンネル選局を行った場合は、テレビジョン受信装置１００で契約済みのチャンネルであるため、リモコンキーに対する選局動作は変わらない。利用者が、リモコンキー３もしくは４を入力してチャンネル選局を行った場合は、テレビジョン受信装置１００で未契約のチャンネルであるため、外部接続機器制御部１０５が、コマンド送受信部１０７を通して、外部接続機器４００へ、同チャンネルで契約済みのチャンネルがあるかを問い合わせる。外部接続機器制御部１０５は、契約済みのチャンネルが見つかったことをコマンド送受信部１０７から受け、入力切替制御部１０６へ切替指示を送ると共に、チャンネルリスト管理部１０４へ、契約済みのチャンネルが存在する外部接続機器の情報を送る。これを受けたチャンネルリスト管理部１０４は、利用者が入力したキーに対する選局動作を、該当する外部接続機器への入力切替と、該当するチャンネルへの選局動作に変更する。
【００２３】
図３は、本実施の形態１のテレビジョン受信装置１００で、チャンネル選局を行った場合の処理手順を示すフローチャートである。利用者がリモコン２００でキー入力を行うと、選局制御部１０２でチャンネル選局を行う（ステップＳ１００）。選局制御部１０２は、選局したチャンネルが契約済みのチャンネルなのかを判断し（ステップＳ１０１）、契約済みのチャンネルであれば（ステップＳ１０１で「Ｙｅｓ」の場合）、映像音声出力部１０８で、選局したチャンネルを視聴する（ステップＳ１０２）。選局したチャンネルが未契約のチャンネルであれば（ステップＳ１０１で「Ｎｏ」の場合）、外部接続機器制御部１０５は、テレビジョン受信装置１００に外部接続機器４００が接続されているかを判断し（ステップＳ１０３）、外部接続機器４００がないのであれば（ステップＳ１０３で「Ｎｏ」の場合）、映像音声出力部１０８でエラー表示を行う（ステップＳ１０７）。外部接続機器４００があるのであれば（ステップＳ１０３で「Ｙｅｓ」の場合）、その外部接続機器４００へ、選局したチャンネルで契約済みのチャンネルがあるのかを、コマンド送受信部１０７でＣＥＣなどの通信手段を用いて問い合わせる（ステップＳ１０４）。契約済みのチャンネルがないのであれば（ステップＳ１０４で「Ｎｏ」の場合）、再び外部接続機器制御部１０５で、他の外部接続機器がないのかを調べる。契約済みのチャンネルがあるのであれば（ステップＳ１０４で「Ｙｅｓ」の場合）、入力切替制御部１０６へ、その外部接続機器４００へ切替指示を行うと共に、コマンド送受信部１０７へ、該当チャンネルへの切替指示を外部接続機器４００へ送るように指示する（ステップＳ１０５）。続いてチャンネルリスト管理部１０４は、入力されたキーに対する選局動作を、図２で示したように変更する（ステップＳ１０６）。
【００２４】
以上説明したように、本実施の形態におけるテレビジョン受信装置１００によれば、利用者は未契約のチャンネルでも、いずれかの外部接続機器４００で契約済みのであれば、どの外部接続機器４００のどのチャンネルで契約済みであるのかを意識することなく、その他の契約済みのチャンネル選局と同じ感覚でチャンネル選局を行うことが可能となり、利用者の負担が軽減される。
【００２５】
（実施の形態２）
図４は、本実施の形態２におけるテレビジョン受信装置１００で、外部接続機器への選局要求を行った場合の処理手順を示すフローチャートである。本実施の形態２におけるテレビジョン受信装置１００の構成は、実施の形態１と同様であるため説明を省略する。
【００２６】
図２のように、あるリモコンキーに外部接続機器４００への選局動作が割当たっており、利用者がそのキー入力を行った場合（ステップＳ２００）、外部接続機器制御部１０５は、要求された外部接続機器４００の電源がＯＮであるのかを判断する（ステップＳ２０１）。電源がＯＮであるならば（ステップＳ２０１で「Ｙｅｓ」の場合）、入力切替制御部１０６へ、その外部接続機器４００への切替指示を行うと共に、コマンド送受信部１０７へ、該当チャンネルへの切替指示を外部接続機器４００へ送るように指示する（ステップＳ２０２）。電源がＯＦＦであるならば（ステップＳ２０１で「Ｎｏ」の場合）、その外部接続機器４００の電源ＯＮ要求を、コマンド送受信部１０７を通して行う（ステップＳ２０４）。また、選局要求のあったチャンネルの番組内容の表示も行う（ステップＳ２０５）。
【００２７】
そして、外部接続機器４００の電源ＯＮが完了した後、入力切替制御部１０６へ、その外部接続機器４００への切替指示を行うと共に、コマンド送受信部１０７へ、該当チャンネルへの切替指示を外部接続機器へ送るように指示する（ステップＳ２０２）。外部接続機器への切替とチャンネル選局が完了することで、映像音声出力部１０８で、選局したチャンネルを視聴できる（ステップＳ２０３）。
【００２８】
以上説明したように、本実施の形態２におけるテレビジョン受信装置１００によれば、利用者は外部接続機器４００の電源状態を気にすることなく、その他のチャンネル選局と同じ感覚で、外部接続機器４００に対するチャンネルの選局を行うことができる。また、外部接続機器４００の電源起動に時間がかかる場合には、選局したチャンネルの番組情報を表示することで、利用者のストレスを軽減できる。
【００２９】
（実施の形態３）
図６は、本実施の形態におけるテレビジョン受信装置１００で、利用者が実際にリモコンキーへのチャンネル割当てを変更する際の表示画面例を示した図である。画面５００に示されるように、利用者はリモコン番号１から４に対するチャンネル割当てを変更できるものとする。ここで画面５０１に示されるように、リモコン番号４に対するチャンネル割当ての変更を選択すると、画面５０２に示されるように、どの機器からチャンネル選択を行うのかを決めるために、外部接続機器リストを表示する画面に遷移する。画面５０２によると、利用者はテレビジョン受信装置１００か、もしくは３つの外部接続機器４００いずれかのチャンネルを選択できる。ここで画面５０３に示されるように、ＤＶＤレコーダ１を選択すると、画面５０４に示されるように、ＤＶＤレコーダ１が持つチャンネルリストを取得してきて表示する。ここで画面５０５に示されるようにチャンネル１２を選択することで、最終的にリモコン番号４に対する選局動作は、変更前はテレビジョン受信装置のチャンネル３を選局していたのに対し、変更後はＤＶＤレコーダ１のチャンネル１２を選局することになる。
【００３０】
以上説明したように、本実施の形態におけるテレビジョン受信装置１００によれば、任意のリモコン番号に、テレビジョン受信装置１００のチャンネルだけでなく、外部接続機器４００を含めた任意のチャンネルを割当てることができる。したがって利用者が、どのチャンネルが契約済みであるのかを予め知っていて、それとは違うチャンネルをリモコンキーに割当てたい場合にも対応できる。
【産業上の利用可能性】
【００３１】
本発明によれば、テレビジョン受信装置において利用者が未契約のチャンネルを選局しても、外部接続機器から契約済みの同チャンネルを自動で選局することが可能となるため、複数のＡＶ機器をネットワーク接続した環境における契約番組視聴に有用である。
【符号の説明】
【００３２】
１００    テレビジョン受信装置
１０１    リモコン受信部
１０２    選局制御部
１０３    放送受信制御部
１０４    チャンネルリスト管理部
１０５    外部接続機器制御部
１０６    入力切替制御部
１０７    コマンド送受信部
１０８    映像音声出力部
２００    リモコン
３００    放送網
４００    外部接続機器
【図１】
2011041168.tif 000003
【図２】
2011041168.tif 000004
【図３】
2011041168.tif 000005
【図４】
2011041168.tif 000006
【図５】
2011041168.tif 000007